(57)【要約】      （修正有）【課題】臨床分析サンプルの特性（干渉物質の有無、物理的寸法特性）を判定する方法を提供する。【解決手段】サンプル品質管理装置３０は、放射光源５２、５８を含む。放射光源５２は、サンプル容器２０へコヒーレントな放射光のレーザビーム５２Ａをあてるレーザダイオードである。放射光源５８は、非コリメート可視光の放射光５８Ａのビームをあてる。サンプル容器は、回転ホルダ５４の上に支持することができる。放射光撮影デバイス５６、６２は、サンプル容器を通して送出される放射ビームを撮影する。送出された放射ビームの撮影画像は、１以上の干渉物質の有無および／またはサンプル容器またはサンプルのある種の物理的寸法特性を判定するように分析されることができる。【選択図】図１Ｃ
2014145774.tif 000002
【特許請求の範囲】
【請求項１】
サンプル容器の中に収容される臨床分析サンプルの特性を判定する方法であって、
サンプル容器の中に収容される臨床分析サンプルを通して放射ビームを送出させること；
サンプル容器に収容される臨床分析サンプルを通して送出される放射ビームを撮影すること；および
撮影された放射ビームを、臨床分析サンプルの中の１以上の干渉物質の有無を判定するように分析すること
を含む方法。
【請求項２】
前記放射ビームが、
コヒーレント光であるか；
平行光の放射光であるか；および
コヒーレント光であり且つ平行光の放射光である、
からなる群から選択される特性を有する、
請求項１記載の方法。
【請求項３】
さらに、最初の前記放射ビームが、垂直なラインの形態で形成されること
を含む、請求項１記載の方法。
【請求項４】
さらに、前記撮影された放射ビームの幅を測定すること
を含む、請求項１記載の方法。
【請求項５】
前記１以上の干渉物質の有無の判定が、
臨床分析サンプルの血清部分または血漿部分の中の脂肪血症の量を測定すること
を含む、請求項１記載の方法。
【請求項６】
前記１以上の干渉物質の有無の判定が、
臨床分析サンプルの血清部分または血漿部分の中の溶血の量を測定すること
を含む、請求項１記載の方法。
【請求項７】
前記１以上の干渉物質の有無の判定が、
臨床分析サンプルの血清部分または血漿部分の中の黄疸の量を測定すること
を含む、請求項１記載の方法。
【請求項８】
サンプル容器の中に収容される臨床分析サンプルの特性を判定するための方法であって、
サンプル容器を通して放射ビームを送出させること；
サンプル容器を通して送出される放射ビームを撮影すること；および
撮影された放射ビームを、臨床分析サンプルの物理的寸法特性を判定するように分析すること
を含む方法。
【請求項９】
前記臨床分析サンプルの物理的寸法特性を判定することが、
サンプル容器の中の臨床分析サンプルの液体−空気の界面（ＬＡ）の位置を判定すること；
遠心分離された臨床分析サンプルの、血清部分または血漿部分と赤血球部分との間の界面（ＳＲ）の位置を判定すること；
遠心分離された臨床分析サンプルの、赤血球部分と血清分離剤部分との間の界面（ＳＳＲ）の位置を判定すること；および
遠心分離された臨床分析サンプルの、血清部分または血漿部分と血清分離剤部分との間の界面（ＳＳ）の位置を判定すること
からなる群から選択される１以上の工程を含む、
請求項８記載の方法。
【請求項１０】
特性を判定するための方法であって、
臨床分析サンプルを収容するように適応されたサンプル容器を通して放射ビームを送出させること；
サンプル容器を通して送出された放射ビームを撮影すること；および
撮影された放射ビームを、サンプル容器の物理的寸法特性を判定するように分析すること
を含む、方法。
【請求項１１】
前記サンプル容器の物理的寸法特性を判定することが、
サンプル容器の管−フタの界面（ＴＣ）の位置を判定すること；および
サンプル容器の高さまたは幅を判定すること
からなる群から選択される１以上の工程を含む、
請求項１０記載の方法。
【請求項１２】
サンプル容器の中に収容される臨床分析サンプルの特性を判定するように適応された装置であって、
サンプル容器の中に収容される臨床分析サンプルを通して放射ビームを送出させるように適応された放射光源；
サンプル容器を通して送出される放射ビームを撮影するように適応された放射光検出デバイス；および
撮影された放射ビームを、臨床分析サンプルの中の１以上の干渉物質の有無を判定するようにして分析するように適応されたコンピュータ
を含む、装置。
【請求項１３】
前記放射光源が、コヒーレントな光の放射光源である、
請求項１２記載の装置。
【請求項１４】
前記放射光源が、平行な光の放射光源である、
請求項１２記載の装置。
【請求項１５】
さらに、前記サンプル容器を保持および回転するように適応された回転ホルダ
を含む、請求項１２記載の装置。
【請求項１６】
前記１以上の干渉物質が、
脂肪血症；
溶血；および
黄疸
からなる群から選択される、
請求項１２記載の装置。
【請求項１７】
サンプル容器の中に収容される臨床分析サンプルの特性を判定するように適応された方法であって、
サンプル容器の中に収容される臨床分析サンプルへ放射ビームを送出させること；
臨床分析サンプルによって反射された放射ビームを撮影すること；および
撮影された放射ビームを、臨床分析サンプルの中の１以上の干渉物質の有無を判定するように分析すること
を含む、方法。
【請求項１８】
前記放射ビームが、コヒーレント光である、
請求項１７記載の方法。
【請求項１９】
前記放射ビームが、平行化光である、請求項１７記載の方法。
【請求項２０】
さらに、サンプル容器と放射ビームを撮影する放射光撮影デバイスとの間に位置合わせされたベクトルから回転方向にオフセットされたベクトルの放射ビームを投射すること
を含む、請求項１７記載の方法。
【請求項２１】
サンプル容器の中に収容される臨床分析サンプルの特性を判定するように適応された方法であって、
サンプル容器へ放射ビームを送出させること；
サンプル容器の中の臨床分析サンプルによって反射された放射ビームを撮影すること；および
撮影された放射ビームを、臨床分析サンプルの物理的寸法特性を判定するように分析すること
を含む、方法。
【請求項２２】
物理的特性を判定するように適応された方法であって、
臨床分析サンプルを収容するように適応されたサンプル容器を提供すること；
サンプル容器へ放射ビームを送出させること；
サンプル容器によって反射された放射ビームを撮影すること；および
撮影された放射ビームを、サンプル容器の物理的寸法特性を判定するように分析すること
を含む、方法。
【請求項２３】
特性を判定するように適応された方法であって、
臨床分析サンプルを収容するサンプル容器へ放射ビームを送出させること；
サンプル容器の中の臨床分析サンプルによって反射された放射ビームを撮影すること；および
撮影された放射ビームを、
臨床分析サンプルの物理的寸法特性、
サンプル容器の物理的寸法特性、および
臨床分析サンプルの中の干渉物質の有無
からなる群から選択される少なくとも１つを判定するように分析すること
を含む、方法。
【請求項２４】
サンプル容器の中に収容される臨床分析サンプルを分析するための装置であって、
サンプル容器の中に収容される臨床分析サンプルへビームを送出させるように適応された放射光源；
サンプル容器によって反射された放射ビームを撮影するように位置づけられる放射光撮影デバイス；および
撮影された放射ビームを、臨床分析サンプルの中の１以上の干渉物質の有無を判定するようにして分析するように適応されたコンピュータ
を含む、装置。
【請求項２５】
サンプル容器の中に収容される臨床分析サンプルの特性を判定する方法であって、
サンプル容器の中に収容される臨床分析サンプルにおいて放射ビームを送出させること；
サンプル容器を通して送出された、または、臨床分析サンプルから反射された放射ビームを撮影すること；および
撮影された放射ビームを、臨床分析サンプルの中の１以上の干渉物質の有無を判定するように分析すること
を含み、
前記１以上の干渉物質が、
脂肪血症、
溶血、および
黄疸
からなる群から選択される、
方法。
【発明の詳細な説明】
【技術分野】
【０００１】
関連出願
本願は、その開示全体が参照により本明細書に組み入れられる、２００９年８月１３日に出願され、「Method And Apparatus For Ascertaining Interferents In Liquid Samples To Be Analyzed By A Clinical Analyzer」と題された米国仮出願第６１／２７４，１９９号の優先権を主張する。
【０００２】
技術分野
本発明は、液体サンプルの試験のための方法および装置、より具体的には、液体サンプルの中の成分の有無を判定するための方法および装置に関するものである。
【０００３】
背景技術
幅広く多様な自動化された化学分析機が当該技術分野において公知であり、分析メニューおよびスループットを増加させ、所要時間を減らし、ならびに必須サンプル量を減少させるために継続的に改良されている。これらの臨床分析機は、試薬を用いて解析を実施して、体液サンプル、たとえば尿、血清、血漿、脳脊髄液などの中の分析対象物を識別する。便宜上および安全性の理由で、これらの液体サンプルは、ほぼ一般的にフタ付きサンプル容器（例えば、サンプル管）の中に収容される。解析反応は、サンプル中の分析対象物の濃度を判定するために処理されることができるさまざまな信号を生成する。たとえば、本出願人が権利者であり、参照により本明細書に組み入れられる米国特許第７，１０１，７１５号および第５，９８５，６７２号を参照されたい。臨床分析機技術における改良は、研究室自動化システム（ＬＡＳ）と呼ばれる自動化分析前サンプル前処理システムによって、分析前サンプルの前処理、および取り扱い動作、たとえば分類、バッチ前処理、サンプルの構成成分を分離するためのサンプル管の遠心分離、液体の利用を容易にするためのフタの取り外しなどにおいて、対応する進歩を伴ってきた。ＬＡＳは、サンプル管の中のサンプルを、共に本明細書に引用される米国特許第６，９８４，５２７号および第６，４４２，４４０号に記述されているように「互いにリンクされて」いる数々の分析前サンプルの処理装置へ自動的に搬送する。
【０００４】
これらのＬＡＳは、標準的にバーコードラベルが付いて空にされたサンプル管に収容される数々の異なる患者のサンプルを取り扱うことができる。バーコードラベルは、試験順序および他の所望の情報とともに、病院の研究室情報システム（ＬＩＳ）に入力されることがある人口統計学的な属性情報にリンクおよび関連付けられることがある受託番号を包含することができる。オペレータは、サンプルが同様にＬＡＳに「リンクされている」可能性がある１以上の分析装置による臨床分析にかけられる前に、たとえば遠心分離、フタの除去、および分割する前処理のような検査前オペレーションのための必須の処理装置へ向けて、サンプル管を自動的に分類及び経路決めをすることができるＬＡＳシステムへ、ラベル付きのサンプル容器（例えば、管）を置くことができる。
【０００５】
ある種の臨床解析のために、（遠心分離によって全血から得られた）血清部分または血漿部分が、臨床分析で用いられることがある。凝固を防止するために、抗凝固剤、たとえばクエン酸塩またはヘパリンを、最初に得られた直後に血液サンプルに添加することができる。代替として、抗凝固剤を、患者のサンプルを得る前に空のサンプル容器（例えば、管）に置いてもよい。赤血球部分から血清部分または血漿部分を分離するために、サンプルは後工程で遠心分離されてもよい。血清部分または血漿部分から赤血球部分を分離するのを補助するために、サンプル容器に血清分離剤を添加することができる。
【０００６】
遠心分離およびそれに続くフタの除去処理後に、開いたサンプル容器（例えば、管）を、サンプル容器から液体サンプルを抜き取ること、および特別の反応容器（例えば、キュベットまたはカップ）の中でサンプルを１以上の試薬と混合することができるような、適切な臨床分析機へ搬送することができる。そして、多くの場合、分析ための測定を実施することができ、たとえば、光度測定または蛍光定量的吸収の指示値などによる、サンプルと試薬の混合物と相互作用する識別放射ビームが用いられる。測定は、周知の較正技術を用いて判定することができた患者の健康に関連した分析対象物の量から、終点または進度値の判定を可能にする。残念ながら、ある既存のサンプル条件または処理の結果として、サンプル中のある種の成分（例えば、着色された干渉物質）の有無が、臨床分析機から得た分析対象物の測定結果の精度に悪影響を与えることがある。
【０００７】
場合によっては、サンプルの血清部分または血漿部分の完全性が、結果、すなわち臨床分析機の分析対象物の測定値の解釈に影響を与えることがある。たとえば、患者の病状に関連しない血清部分または血漿部分の分析前の変量が、患者の病状の異なる解釈の原因となることがある。分析前変量には、溶血（砕けた赤血球）、黄疸（ビリルビン過剰）、および脂肪血症（認識可能な高脂質含量）を含む。
【０００８】
一般的には、サンプルの血清部分または血漿部分の完全性は、熟練した研究室技術者によって視覚的に検査される。これは、サンプルの血清部分または血漿部分の色の点検を含むことができる。通常の血清部分または血漿部分は、薄黄色から薄琥珀色を有する。代わりに、溶血を包含する血清部分または血漿部分は、かなり赤みがかった色になることがある。この場合の干渉物質、たとえば、過剰な数の赤血球は、おそらく静脈穿刺や遠心分離の間に、または長期保存の後に損傷を受けると、生じることがある。赤血球が傷つけられると、サンプルの中へ低密度で赤みがかった色のヘモグロビンを放出して、サンプルが「溶血」を呈すると言われる赤みがかった色の原因となる。遊離ヘモグロビン（Ｈｂ）の有無は、溶血度を測定するために用いることができ、ヘモグロビン濃度が約２０ｍｇ／ｄｌを超過すると、ヘモグロビンは、サンプルに包含された赤みがかった干渉物質により、臨床分析機内での分析対象物の比色定量に干渉することがある。
【０００９】
黄疸を包含するサンプルは、暗黄色／茶色になることがある。この場合の干渉物質は、たとえば、崩壊する赤血球が脾臓でビリルビンに変換される結果、過剰なビリルビンから生じることがある。２〜３ｍｇ／ｄｌを超えるレベルのビリルビンは明白に黄色がかっていて、特に酵素系免疫測定に悪影響を与えることがある。このような状態は、ビリルビン血症または黄疸と称される。
【００１０】
脂肪血症を包含するサンプルは、白色がかっていることがある。この場合の干渉物質は、たとえば、過剰な脂質の存在により、血清部分または血漿部分の中に白色がかった外観で生じることがある。このような状態は脂肪血症と呼ばれ、約５０ｍｇ／ｄｌを超えるレベルの脂質は、免疫測定における抗体結合に干渉することがあり、それに応じて免疫測定結果にも影響を与えることがある。
【００１１】
このようにして、血清サンプル中の赤色度は、サンプルの血清部分または血漿部分に存在する溶血量に対応することができ、暗黄色／茶色度は、サンプルの血清部分または血漿部分に存在する黄疸量に対応することができ、白色がかった着色度は、サンプルの血清部分または血漿部分に存在する脂肪血症量に対応することができる。
【００１２】
遠心分離に続いて、赤血球部分が血清部分または血漿部分から分離されていたら、熟練した技術者は血清部分または血漿部分を視覚的に検査することができ、通常の薄黄色から薄琥珀色を有しないと判断されると、そのサンプルは廃棄されることがある。あるいはまた、サンプルは順序どおりに処理および分析される。しかしながら、目視検査は、非常に主観的で、労働集約的であり、および人為的過誤の可能性をはらんでいる。このようにして、サンプルの血清部分または血漿部分の中に溶血、黄疸、および脂肪血症（これら３つの状態は、たびたび「ＨＩＬ」と呼ばれる）が存在するかどうかを確定するために、さまざまな方法が実施されてきた。
【００１３】
一般的には、研究室技術者が、色に基づいて、サンプルの血清および血漿部分に溶血指数、黄疸指数、および脂肪血症指数を割り当てる。溶血指数、黄疸指数、および脂肪血症指数の値に基づいて、臨床分析機からの結果の解釈を評価することができる。代わりに、溶血指数、黄疸指数、および脂肪血症指数のうち１以上の値が高すぎると、臨床分析機による分析をせずにサンプルを廃棄してもよい。
【００１４】
上述のように、目視検査は労働集約的であり、費用が高くつくことがある。さらにまた、目視検査には人為的過誤の可能性が存在し、目視検査の結果は大変主観的になることがあり、作業者間でばらつくことがあり、１つのばらつきが他のばらつきを分からなく、または隠しうる。さらにまた、密閉容器へのサンプル採取、容器上へ直接のバーコードラベル、および、自動化臨床分析機を使用する場合では、多くの例において、研究室技術者が、サンプルの血清部分または血漿部分を視覚的に認めるための明確な機会を、単純に、有しないことがある。そのため、研究室技術者による目視検査を使用せずに、サンプルの血清部分または血漿部分の完全性を評価することがますます重要になっている。
【００１５】
この問題を解決するための１つの試みは、サンプルの血清部分または血漿部分を臨床分析機のキュベットの１つへ移動させた後に、その血清部分または血漿部分を光学的に検査することを含む。臨床分析機の中のサンプルの光学的特性を測定することは、目視検査の必要性をなくす。しかしながら、この試験は臨床分析機の総作動時間を利用し、サンプルの完全性が不全であると判定されると、追加された作動時間および作動サイクルが無駄になる。さらにまた、この手順は、サンプルの血清部分または血漿部分を加える前にキュベットへ試薬を添加する臨床分析機には用いることができない。
【００１６】
米国特許第５，７３４，４６８号は、プローブの実質的に透明な部分を通してプローブ内腔の中の血清サンプルの分光光度法による分析を実施する検出器で、血清サンプルを監視することを開示する。分光光度法による分析から、血清サンプルの溶血指数、黄疸指数、および、脂肪血症指数を定めることができる。これらの血清指数に基づいて、血清サンプルを更なる試験のための臨床分析機へ移送することができ、または、サンプル不全のため処分することができる。
【００１７】
米国特許第６，３７２，５０３号は、血漿または血清サンプルの中の溶血、濁度、ビリルビン血症、およびビリベルジン血症の量を、別々に、または任意の２つ、または任意の３つ、または同時に４つ全て、のいずれかで評価する機器のための、機器較正を監視するために用いられるか、または、再較正するために用いられる品質管理用材料を開示する。
【００１８】
米国特許第６，６２８，３９５号は、オリジナルの到着した容器から取り外される前および臨床分析機へ移送される前の、最初の受入れたサンプル容器の中でＨＩＬについてサンプルを予備的に試験することを開示する。この手法では、サンプルは消滅されず、評価結果に基づいて、臨床分析機または、廃棄物収容部へ移送することができる。
【００１９】
米国第６，３５３，４７１号は、（１）サンプルに少なくとも１つの発光周波数で照射すること；（２）干渉物質の濃度を判定するために、サンプルによる放射光の吸光度を干渉物質の基準値に関連付けること；および、（３）干渉物質の濃度が判定基準を超過するとサンプルを受け付けないようにすること：によって、サンプルの中の少なくとも１つの干渉物質の濃度判定に基づいて、サンプルのさらなる分析を受け付けないようにするための方法を開示する。
【００２０】
分光光度法による分析を実施するにあたっての１つの課題は、サンプルが、最初に、多様な第一次の患者のサンプル収集容器（「サンプル容器」）で得られることであった。これらのサンプル容器は、通常、直径および長さにばらつきのある管状容器である。患者の血液サンプルの場合、細胞の相（例えば、赤血球部分）から、液体の血清部分または血漿部分が遠心分離で分離されることが多い。このようなサンプル容器は、患者の識別ラベルを有することができ、サンプル全体の中で分析される血清部分または血漿部分の量は変化して予測不能であるので、比較的大量のサンプル液体を収容する。
【００２１】
このような干渉物質の有無を判定するように適応された方法および装置に対しては、臨床分析される液体サンプルの中に内在性干渉物質が包含されるときに直面する問題により、満たされていない要求がある。その方法および装置は、分析試験結果が得られる速度へ評価可能な程度に悪影響を与えるべきでなく、このような判定の精度に影響を与えないように、比較的大きいサンプル部分について判定することが可能であるべきである。さらにまた、その方法および装置は、ラベルが付けられた状態のサンプル容器であっても用いることができるべきである。
【発明の概要】
【００２２】
本発明の第１の態様によれば、サンプル容器の中に収容される臨床分析サンプルの特性を判定する方法が提供される。その方法は、サンプル容器の中に収容される臨床分析サンプルを通して放射ビームを送出させること；サンプル容器を通して送出される放射ビームを検出すること；および、検出された放射ビームを、臨床分析サンプルの中の１以上の干渉物質の有無を判定するように分析することを含む。
【００２３】
本発明の別の態様によれば、サンプル容器の中に収容される臨床分析サンプルの特性を判定する方法が提供される。その方法は、サンプル容器を通して放射ビームを送出させること；サンプル容器を通して送出される放射ビームを検出すること；および、検出された放射ビームを、臨床検査サンプルの物理的寸法特性を判定するように検査することを含む。
【００２４】
本発明の別の態様によれば、特性を判定する方法が提供される。その方法は、臨床分析サンプルを収容するように適応されたサンプル容器を通して放射ビームを送出させること；サンプル容器を通して送出された放射ビームを検出すること；および、検出された放射ビームを、サンプル容器の物理的寸法特性を判定するように分析することを含む。
【００２５】
本発明の別の態様によれば、サンプル容器の中に収容される臨床分析サンプルの特性を判定するように適応された装置が提供される。その装置は、サンプル容器の中に収容される臨床分析サンプルを通して放射ビームを送出させるように適応された放射光源；サンプル容器を通して送出されるような放射ビームを検出するように適応された放射光検出デバイス；および、検出された放射ビームを、臨床分析サンプルの中の１以上の干渉物質の有無を判定するようにして分析するように適応されたコンピュータを含む。
【００２６】
本発明の別の態様によれば、サンプル容器の中に収容される臨床分析サンプルの特性を判定するように適応された方法が提供される。その方法は、サンプル容器の中に収容される臨床分析サンプルへ放射ビームを送出させること；臨床分析サンプルによって反射された放射ビームを検出すること；および、検出された放射ビームを、臨床分析サンプルの中の１以上の干渉物質の有無を判定するように検査することを含む。
【００２７】
本発明の別の態様において、サンプル容器の中に収容される臨床分析サンプルの特性を判定するように適応された方法が提供される。その方法は、サンプル容器へ放射ビームを送出させること；サンプル容器の中の臨床分析サンプルによって反射された放射ビームを検出すること；および、検出された放射ビームを、臨床分析サンプルの物理的寸法特性を判定するように検査することを含む。
【００２８】
本発明の別の態様は、物理的特性を判定するように適応された方法を提供する。その方法は、臨床分析サンプルを収容するように適応されたサンプル容器を提供すること；サンプル容器へ放射ビームを送出させること；サンプル容器によって反射された放射ビームを検出すること；および、検出された放射ビームを、サンプル容器の物理的寸法特性を判定するように検査することを含む。
【００２９】
本発明のまた別の態様によれば、特性を判定するように適応された方法が提供される。その方法は、臨床分析サンプルを収容するサンプル容器へ放射ビームを送出させること；サンプル容器の中の臨床分析サンプルによって反射された放射ビームを検出すること；および、検出された放射ビームを、臨床分析サンプルの物理的寸法特性、サンプル容器の物理的寸法特性、および、臨床分析サンプルの中の干渉物質の有無からなる群から選択される少なくとも１つを判定するように分析することを含む。
【００３０】
本発明の別の態様において、サンプル容器の中に収容される臨床分析サンプルを検査するための装置が提供される。その装置は、サンプル容器の中に収容される臨床分析サンプルへビームを送出させるように適応された放射光源；サンプル容器によって反射された放射ビームを検出するように位置づけられる放射光検出デバイス；および、検出された放射ビームを、臨床分析サンプルの中の１以上の干渉物質の有無を判定するように分析するように適応されたコンピュータを含む。
【００３１】
本発明のまた別の態様によれば、サンプル容器の中に収容される臨床分析サンプルの特性を判定する方法が提供される。その方法は、サンプル容器の中に収容される臨床分析サンプルにおいて放射ビームを送出させること；サンプル容器を通して送出されるか、または臨床分析サンプルから反射された放射ビームを検出すること；および、検出された放射ビームを、１以上の干渉物質が、脂肪血症、溶血、および黄疸からなる群から選択される、臨床分析サンプルの中の１以上の干渉物質の有無を判定するように分析することを含む。
【００３２】
本発明のさらに他の態様、特徴、および利点は、本発明を実施するために考慮された最良の形態を含む数々の例示的な実施形態および実施例が例示されることによって、以下の詳細な説明から容易に明らかにすることができる。本発明は他のおよび異なる実施形態でも可能であることができ、そのいくつかの詳細はさまざまな面で変更することができるが、全ては本発明の趣旨および範囲から逸脱しない範囲である。したがって、図面および記載は、本質的に説明であって制限ではないとみなされるものである。図面は、縮尺通りに描かれるとは限らない。本発明は、本発明の趣旨および範囲内の全ての変形例、均等物、および代替物をカバーする。
【図面の簡単な説明】
【００３３】
【図１Ａ】本発明を有利に採用することができる１以上の分析前サンプルの品質管理装置および分析装置と協働して制御されるコンベアを含む自動化サンプル取り扱いシステムの概略平面図である。
【図１Ｂ】本発明の態様により干渉物質の有無または物理的寸法特性について分析することができる遠心分離されたサンプルを含むラベル付きサンプル容器の側面図である。
【図１Ｃ】図１Ａの自動化サンプル取扱システムの１以上の臨床分析機によって自動的に処理される前に、干渉物質の有無または物理的寸法特性について自動的に分析するように適応されたサンプルの品質管理装置の実施形態の概略上面図である。
【図１Ｄ】臨床分析サンプルの中の干渉物質の有無について自動的に分析するように適応された方法のフローチャートである。
【図２Ａ】臨床分析サンプルまたはサンプル容器の干渉物質の有無または物理的寸法特性について分析するように適応されたサンプルの品質管理装置の別の実施形態の概略側面図である。
【図２Ｂ】図２Ａのサンプルの品質管理装置の一部分の概略上面図である。
【図２Ｃ】本発明の態様による方法を説明するフローチャートである。
【図２Ｄ】本発明の態様による方法を説明するフローチャートである。
【図２Ｅ】図２Ａのサンプルの品質管理装置によって生成されるさまざまなサンプルおよびサンプル容器状態についての放射光反射画像の概略側面図である。
【図２Ｆ】図２Ａのサンプルの品質管理装置によって生成されるさまざまなサンプルおよびサンプル容器状態についての放射光反射画像の概略側面図である。
【図２Ｇ】図２Ａのサンプルの品質管理装置によって生成されるさまざまなサンプルおよびサンプル容器状態についての放射光反射画像の概略側面図である。
【図２Ｈ】図２Ａのサンプルの品質管理装置によって生成されるさまざまなサンプルおよびサンプル容器状態についての放射光反射の実際の側面画像である。
【図２Ｉ】図２Ａのサンプルの品質管理装置によって生成されるさまざまなサンプルおよびサンプル容器状態についての放射光反射の実際の側面画像である。
【図３】正常サンプルを収容するサンプル容器からの放射光反射の代表説明図である。
【図４】脂肪血症の量が上昇したサンプル、すなわち脂肪血症サンプルを有するサンプル容器からの放射光反射の代表説明図である。
【図５Ａ】基準サンプルを収容するサンプル容器の説明図である。
【図５Ｂ】溶血の量が事前に定められた閾値を超えて上昇したサンプルを有するサンプル容器の説明図である。
【図５Ｃ】本発明の態様により溶血を検出する方法を説明するフローチャートである。
【図５Ｄ】本発明の態様により黄疸を検出する方法を説明するフローチャートである。
【図６】サンプル容器の長手方向のＺ軸に沿った放射光源（例えば、レーザ）から垂直に指向されたレーザのライン（列）を提供するように適応された装置の側面説明図である。
【図７】サンプル容器の長手方向のＺ軸に沿って放射光源（例えば、レーザ）からビーム（スポット）をスイープするように適応された装置の側面説明図である。
【００３４】
定義
本願において用いられる以下の用語は、以下の意味を有する：
「サンプル管」とは、患者から血液を収集するために用いられる血液収集管を意味する。しかしながら、サンプル管は、血液を受け入れ収容するように適応された任意の構造的構成、たとえば管状、わずかに円錐状等を含んでもよい。加えて、サンプル管は、患者からの血液の最初の収集のために用いられてもよいし、または別の容器に収集した後で血液をサンプル管へ移送してもよい。適切な血液収集管は、New Jersey州Franklin LakesにあるBecton Dickinson製である。
【００３５】
「血清変量」とは、臨床分析機の結果の精度に影響を与えることがある血清部分または血漿部分における溶血、黄疸、脂肪血症、および他の変量を意味し、含む。
【００３６】
「干渉物質」とは、臨床分析機の結果の解釈に影響を与えることがある任意の血清変量、任意の病状、および／または任意の不透明度、着色、または微パーティクルを意味し、含む。
【００３７】
「溶血指数」とは、サンプル（試料）の中に存在する溶血の算定含量に基づいて、特定のサンプルに付与される評価を意味する。一般的に、目視観察のための評価尺度は、ゼロから４（０〜４）の範囲である。ゼロは、実質的に溶血がないことを表し、その一方で４は顕著な溶血を表す。代わりに、尺度は、０〜１０、０〜２０、Ａ〜Ｆ、または他の何らかの範囲であり得る。
【００３８】
「黄疸指数」とは、サンプル（試料）の中に存在する黄疸の算定含量に基づいて、特定のサンプルに付与される評価を意味する。一般的に、目視観察のための評価尺度は、ゼロから４（０〜４）の範囲である。同様に、ゼロは、実質的に黄疸がないことを表し、その一方で４は黄疸が顕著に存在することを表す。代わりに、尺度は、０〜１０、０〜２０、Ａ〜Ｆ、または他の何らかの範囲であり得る。
【００３９】
「脂肪血症指数」とは、サンプル（試料）の中に存在する脂肪血症の算定含量に基づいて、特定のサンプルに付与される評価を意味する。一般的に、目視観察のための評価尺度は、ゼロから４（０〜４）の範囲である。同様に、ゼロは、実質的に脂肪血症がないことを表し、その一方で４は脂肪血症が顕著に存在することを表す。代わりに、尺度は、０〜１０、０〜２０、Ａ〜Ｆ、または他の何らかの範囲であり得る。
【００４０】
「血清指数」とは、溶血指数、黄疸指数、および脂肪血症指数を意味し、含む。
【００４１】
「所定の値」とは、試験のためのサンプルの完全性が不全であると考えられることがある溶血指数、黄疸指数、または脂肪血症指数のための値を意味する。所定の値は、血清指数の尺度によって変動し、その血清指数が問題になっていて、臨床分析機または他のデバイスによって試験が実施されるものである。たとえば、溶血指数が０〜４の尺度で格付けされるなら、溶血指数３はある試験について不全なサンプルであると考えられ得る。このようにして、この例における所定の値は３になる。代わりに、黄疸指数についての０〜４の尺度で測定値２は、ある例では容認できないものであり得る。このようにして、この例については、所定の値は２である。
【００４２】
「分光光度法による分析」とは、任意の角度または角度の集合で、光学的吸光度および／または反射率、免疫比濁法測定による分析、免疫比朧法（ネフェロメトリ−法）測定による分析、および／または、光散乱分析を測定することを意味し、含む。一般に、用語「分光光度法」は、波長範囲にわたるスペクトル応答を撮影すること、および各波長についての応答を関連付けることを指す。この分析を実施するデバイスは、「分光光度計」と称される。このような分光光度法による分析は、ヘモグロビン、グルコース、アルブミン、リポタンパク質、および他の多くの血清成分を確定することが可能な、近赤外線および隣接する可視光で実施されてきた。
【００４３】
詳細な説明
第１の広義の態様では、本発明は、分析干渉物質が液体サンプルの中に存在するかを判定するための方法および装置を提供する。この方法は、液体サンプル（試料）が解析的分析のために臨床分析機に提示される前に、分析前工程として実施されてもよい。特に、本発明の１つの態様は、血液サンプルの中に見つかるかもしれないものなどの干渉物質の有無の事前検査に続いて、解析的分析のために遠心分離されたサンプルを供給することを提供する。この態様は、液体血液サンプルを適切な遠心分離にかけて、サンプルを赤血球部分、および血清部分または血漿部分に分離することによって成し遂げられる。この遠心分離手順に続いて、サンプル（試料）の血清部分または血漿部分は、干渉物質、たとえば溶血、黄疸、および／または脂肪血症（以下、ＨＩＬ）、またはその中の他の不均質な液体（例えば、不適切な上澄みレベル）の有無について試験される。サンプルが干渉物質を含んでいないことがわかると、解析的分析のために定期的に処理するよう、システムを通して継続することが可能になる。
【００４４】
１つの態様では、サンプルが脂肪血症を予め定義された量より多く包含することがわかると、サンプルを受け付けないようにすることができる。そして、脂肪血症サンプルを、その中の脂肪血症の量を減らすように適応された特別の前処理オペレーションにかけることができる。そして、サンプルを、分析のために定期的に処理し、またはおそらく干渉物質の有無について再試験することができる。別の態様では、サンプルが溶血を予め定義された量より多く包含することがわかると、サンプルを継続し、解析的分析のために定期的に処理することを可能にすることができる。しかしながら、溶血の程度または度合いは、分析結果とともに報告することができる。代替として、溶血したサンプルは、溶血量のより洗練された判定にかけることができるので、サンプルに実施される、溶血の存在によって影響を与えられない任意の分析試験は、定期的に完了することができ、およびおそらく未使用サンプルの再採血が支持され着手されることができる。サンプルが黄疸を予め定義された量より多く包含することがわかると、サンプルを解析的分析のために定期的に処理することを可能にすることができ、黄疸の程度または度合いは、分析結果とともに報告することができる。本発明は、遠心分離されたサンプルを通して向けられたコリメート（平行化、平行）光のビームの散乱または「ブルーム」の程度が、他のより洗練された方法よりも、サンプルの中の干渉物質（例えば、脂肪血症）の有無をより迅速におよびより複雑でなく判定するという発見に基づく。
【００４５】
本発明の、これらおよび他の態様ならびに特徴は、本明細書において図１Ａ〜図７を参照して記述される。
【００４６】
図１Ａは、臨床分析機３２、３８、および／または４２による分析の前に、複数のサンプルラック１８に収容される複数のサンプル容器２０、一般的にはサンプル管（例えば、試験管または血液収集管−図１Ｂ参照）を自動的に前処理することができる自動化された臨床化学サンプル取扱システム１０（以下、「自動化サンプル取扱システム」）を示す。しかしながら、任意の、一般的にクリアまたは透明な容器、たとえばサンプルカップ、キュベット、または他のクリアなガラスまたはプラスチック容器を用いることができる。一般的には、自動的に処理される臨床分析サンプル２０Ａ（以下、「サンプル」）は、フタ２０Ｂでフタをされてもよいサンプル容器２０の中で、自動化サンプル取扱システム１０に提供することができる。各サンプル容器２０（例えば、サンプル管）は、１以上のセンサ１９によって機械読み取り可能であることができる識別指標および／または情報２０Ｃ、たとえばバーコード、英字、数字、または英数字指標を備えることができる。指標および／または情報２０Ｃは、患者の識別と同様に、たとえばその中の臨床分析サンプル２０Ａによって成し遂げられる解析手順を示すことができる。このような指標および／または情報２０Ｃは、一般的に、サンプル容器２０の側面に接着、あるいはまた提供されたラベル２０Ｄ上で提供することができる。このようなラベル２０Ｄは、一般的に、サンプル容器２０の全周にわたって延伸されてはいない。したがって、サンプル容器２０の側面に沿って窓領域が提供され、そこにはラベル２０Ｄが設置されておらず、ラベル２０Ｄによる干渉なしでこの窓領域の中の側面から、または、窓領域を通した側面から臨床分析サンプル２０Ａを見ることができる。サンプル容器２０は、その上に追加の識別指標を有してもよいラック１８に保持することができる。
【００４７】
自動化サンプル取扱システム１０は、（ベルト状であることができる）コンベアトラック１４または他の適切な運搬機構またはシステムが、１以上のラック１８と同様に動作中の投入レーンを有するサンプル容器ロード／アンロードロボット装置１６から遠心分離機２４（例えば、自動化遠心分離機）へ、サンプル容器キャリア２２の中で運ばれる個別のサンプル容器２０（例えば、サンプル管）を搬送する、動作ベース１２（例えば、フレーム）を含むことができる。遠心分離された後に、サンプル容器２０は、サンプル２０Ａの中の１以上の干渉物質の有無を自動的に判定するように適応された後述のサンプル品質管理装置３０へ向けて継続してコンベアトラック１４上にあることができ、自動化サンプル取扱システム１０によって自動的に処理されるように適応される。そして、サンプル２０Ａは、各サンプル容器２０（例えば、サンプル管）をサンプル容器ロード／アンロードロボット装置１６に返却する前に、１以上の分析機３２、３８、および／または４２において分析されることができる。コンベアトラック１４によって３つより多くの分析機３２、３８、および４２をリンクさせることができるが、簡潔にする目的のために３つのみが示されることが理解されるべきである。加えて、遠隔分析機４３は自動化サンプル取扱システム１０に直接リンクされていないにもかかわらず、遠隔分析機４３は自動化サンプル取扱システム１０によって使用可能にすることができる。例えば、独立したロボットシステムが、遠隔検査装置４３にサンプルを運ぶようにできる。自動化サンプル取扱システム１０は、各サンプル管キャリア２２の中に置かれた指標または情報（図示せず）を識別する測定値の手段によって、サンプル容器２０の位置を検出するための、１以上の位置にある数々のセンサ（図示せず）を含むことができる。ある実施形態では、異なるＲＦＩＤチップを各サンプル管キャリア２２の中に埋め込むことができ、従来のＲＦＩＤリーダシステムを、たとえばこのような追跡動作に使用することができる。
【００４８】
サンプル管キャリア２２を、トラック１４から取り外すためか、サンプル管キャリア２２を、遠心分離機２４へおよびそこから移動させるためか、および、分析機３２、３８、および４２へおよびそこから移動させるためか、または、サンプル容器２０の分析機３２、３８、および４２の中へおよびそこからの移動を容易にするために、遠心分離機２４および各分析機３２、３８、および４２には、それぞれ、一般的に、さまざまなロボット機構２６および２８、４０および４４、または、トラック３４および３６を設けることができる。一般的には、そのようなロード／アンロード装置１６は、従来からのロボットのクランプハンドまたはフィンガーが設けられる、少なくとも２つのＸ−Ｙ−Ｚロボットアーム２１を含むことができる。しかしながら、任意の適切なロボット装置を用いしてもよい。
【００４９】
自動化サンプル取扱システム１０は、従来と同様にプログラムされたコンピュータ１５、好ましくは、自動化サンプル取扱システム１０の一部として収容されるか、または、そこから分離して収容されることができるマイクロプロセッサベースの中央処理装置ＣＰＵによって制御することができる。従来と同様にプログラムされたコンピュータ１５は、後述するように、サンプル容器ロード／アンロードロボット装置１６、遠心分離機２４、品質管理装置３０、および、各臨床分析機３２、３８、４２（さまざまな種類の解析処理を生じさせる）へおよびそこからのサンプル管キャリア２２の移動を制御するように動作されることができる。コンピュータ１５は、ソフトウェア、ファームウェア、あるいはハードウェアのコマンドまたは回路、たとえばIllinois州DeerfieldのSiemens Healthcare Diagnostics Inc.によって販売されるDimension（登録商標）臨床化学分析機上で用いられるものにより、自動化サンプル取扱システム１０を制御することができ、このような制御は、一般的には、コンピュータに基づく電気機械的制御プログラミングの当業者を対象にする。しかしながら、自動化サンプル取扱システム１０を制御するための、任意の適切な電子部品またはシステムを用いてもよい。
【００５０】
本発明は、ユーザが多様な制御画面および状態情報表示画面に簡単におよび素早くアクセスすることを可能にするコンピュータインタフェイスモジュール（ＣＩＭ）を用いて実施することができる。これらの画面は、サンプルの前処理および患者のサンプルの臨床分析に用いられる、複数の相互に関連した自動化デバイスのいくつかまたは全ての態様を示すことができる。このようなＣＩＭは、好ましくは、複数の相互に関連した自動化デバイスの動作状態についてのオンライン情報と同様に、任意の具体的なサンプルの位置およびサンプルにおいて実施される臨床試験の状態を示す情報を包含する複数の追加の表示画面に直接リンクされている第１の表示画面を採用する。このため、ＣＩＭは、オペレータがそれを通じて自動化サンプル取扱システム１０に入出力を行うことができるアイコン、スクロールバー、ボックス、およびボタンを含むメニューを表示するように適合した視覚的タッチパネルを含むことができるものであり、および、メニューが、自動化サンプル取扱システム１０の機能的な態様を示すようにプログラムされた数々の機能ボタンを含むものであり、自動化臨床分析システム１０とオペレータとの間の相互作用を容易にするように適合される。
【００５１】
上述の例では、たとえば、分析機３２は、臨床化学分析機３２であり、および分析機３８が凝固分析機であるので、遠心分離機２４では、異なる遠心分離プロトコルを、化学分析機３２による試験か、または凝固分析機３８による試験かのために、適正に遠心分離されて解析前処理されたサンプルを提供するように定めることができる。前述のように、サンプル容器２０は、その中のサンプル上で成し遂げられる解析手順を示す、センサ１９によって読み取り可能な識別指標または情報２０Ｃを備えることができる。コンピュータ１５は、解析が臨床化学分析か凝固分析か、および、どの分析機３２、３８、４２がこのような分析を実施するように適応されたのかを判定するようにプログラムされる。
【００５２】
図１Ｃは、図１Ａのサンプル品質管理装置３０で用いることができ、図１Ａの自動化サンプル取扱システム１０によって自動的に処理されるサンプル２０Ａの中の１以上の干渉物質の有無を自動的に判定するように適応することができる装置の第１の実施形態の概略平面図である。干渉物質の有無は、自動化サンプル取扱システム１０によってさらに試験される前に、サンプル品質管理装置３０によって検出することができる。このようにして、サンプル２０Ａには、干渉物質を含むか、追加の処理か、廃棄か、または再採血か、が実施されることができる。加えて、サンプル容器２０自体についてと同様に、サンプル容器２０に収容される分析サンプル２０Ａについても、他の検出方法を実施することができる。たとえば、この装置は、サンプルのある種の物理的寸法特性（例えば、図１Ｂに示すように、液体−空気の界面ＬＡ、赤血球部分２０ＲＢＣと血清部分または血漿部分２０ＳＰとの間の界面ＳＲの位置、赤血球部分の高さＨＲＢＣ、および血清血漿部分の高さＨＳＰ）、および／または、サンプル容器２０（例えば、サンプル管）のある種の物理的寸法特性（例えば、高さＨまたは幅Ｗ）、または、管−フタの界面ＴＣの位置を判定するために用いることができる。
【００５３】
ここで、図１Ｃを参照すると、サンプル品質管理装置３０は、たとえば放射光源５２（例えば、コリメートされた（平行化された：平行）光の放射光源）を含むことができる。放射光源５２は、サンプル容器２０（例えば、サンプル管）へコヒーレントな（相関性が高い）放射光のレーザビーム５２Ａをあてるレーザダイオードであることができる。サンプル容器２０は、テーブルまたはプラットフォーム、または回転の間サンプル容器２０を一般的に直立状態で支持および保持するように適応された他の回転装置であることができる回転ホルダ５４の上に支持することができる。放射光源５２のための適切なレーザダイオードは、当該技術分野において周知であり、とりわけＨｅ、Ｎｅ、Ｇａｓ、ＧＡＡＳダイオードを含む。放射光撮影デバイス５６、たとえば、従来のデジタルカメラ、電荷結合素子（ＣＣＤ）、または分光光度計は、ある実施形態では、サンプル容器２０を通して送出される放射ビームを撮影することができる。そして、送出された放射ビームの撮影画像は、１以上の干渉物質の有無および／またはサンプル容器２０またはサンプル２０Ａのある種の物理的寸法特性を判定するように分析されることができる。
【００５４】
サンプル品質管理装置３０は、サンプル容器２０へ、非コリメート（平行化されていない）可視光（例えば、白色光）の従来の放射光５８Ａのビームをあてる放射光源５８をさらに含むことができる。放射光は、サンプル容器２０を通して送出した後に、放射光撮影デバイス６２、たとえば従来のデジタルカメラのデジタル化手段または光検出器のアレイによって撮影することができる。リフレクタ（反射器）および／またはディフューザ（散光器）６０は、均一な放射領域を形成および得るために提供されることができる。放射光撮影デバイス６２は、好ましくはデジタル化手段を有し、また好ましくは、モノクロで少なくとも８ビットの高精度でアナログからデジタルにする能力を持つ。これらの要件を満たすデジタル化手段は、Data Translationから入手可能なモデルDT 3155 Frame Grabberである。そして、デジタル化された画像は、サンプル２０Ａの中の１以上の干渉物質の有無を判定するように、画像処理ソフトウェアプログラムを収容するコンピュータ（例えば、コントローラ、プロセッサ、またはマイクロプロセッサ）で分析することができる。
【００５５】
小さい一つのパーティクルによるコヒーレントな放射光の散乱は、パーティクルの形態を散乱光の角度分布に変換することに相当する。数学的には、この変換はフーリエ変換として公知である。これは周知の作用であり、ある種類のパーティクル、たとえば球体については、その変換が正確に知られている。平行でコヒーレントな放射光のビームが生体細胞または構造体のサンプルに直面すると、放射光の一部が吸収され、一部が散乱され、および残りは送出されることができる。送出および散乱された放射光は、本発明の態様にしたがって測定することができ、サンプル２０Ａについてのある種の情報が得られる。
【００５６】
全て放射光源のコヒーレンス長内であるパーティクルの全体的作用によるコヒーレントな放射光の散乱は、個別のパーティクルによって散乱された放射光の重ね合わせによって得られる。このようにして、パーティクルが画一的であってランダムに分散された場合、正味（net）の散乱分布は、一つのパーティクルの散乱強度のＮ倍（Ｎはパーティクルの数）になる。これも、パーティクルのサイズを決めることおよびパーティクルの濃度の算定することの両方に用いられてきた周知の作用である。これらの測定は、散乱光の角度分布について直接、または、角度分布のフーリエ変換が行われた後で、実施されることができる。たとえば、血清血漿部分２０ＳＰの中に存在する脂質の脂肪沈着物のようなパーティクルが、このような作用を有することが発見された。
【００５７】
パーティクルがランダムに分散されない場合、個別のパーティクルからの散乱光が「干渉」して、個別のパーティクルの配置態勢を反映する散乱強度の分布を作り出す。結果として、パーティクルの凝集する傾向を、散乱光の強度の揺らぎ（フラクチュエーション）を測定することによって判定することができる。パーティクルがランダムだと、個別のパーティクルからの散乱光の間の「干渉」もランダムになり、どのような角度であっても、画一的および一定の揺らぎ（フラクチュエーション）が導かれる。しかしながら、パーティクルが凝集し始めると、干渉が大きくなり、増加した揺らぎ（フラクチュエーション）が導かれ、測定することができる。
【００５８】
サンプル分析処理は、採血者、医師、看護士または医療関係者が患者から血液サンプルを採血または収集して、サンプル（サンプル２０Ａ）をサンプル容器２０に挿入するときに、開始されることができる。血液のサンプル容器２０（例えば、サンプル管）は、病院の研究室、血液診断研究所、または他の場所に送られて、健康状態、たとえば、疾患、癌、不妊、薬物の乱用、および他の障害について試験される。健康状態についての具体的な試験は、患者によって決まり、これらの研究所および場所の血液診断機器および自動化分析試験システムを用いて評価することができる健康状態は、何百もある。血液診断機器または臨床分析機は、血液サンプルを分析すること、および、その中の成分の有無または量を識別する分析結果を提供することができる。たとえば、図１Ａに記述されているような自動化システムは、サンプルを、遠心分離機２４のような処理設備の場合と同様に、血液診断分析機器３２、３８、４２へ、および、そこから搬送するために用いられる。
【００５９】
病院または血液診断研究所は、一般的には、毎日、何千もの患者のサンプルを取り扱うことがあり、これらのサンプルを精度良く効率的に処理するために、機器および自動化システムにますます依存している。しかしながら、それらの機器は、血液サンプルの品質における不具合の結果から、誤差を発生することがある。サンプルの品質の不具合には、変色、望ましくないパーティクルの存在、凝固、および／または、サンプル管内部の不十分なサンプル量を含むことができる。
【００６０】
これらの不具合のほとんどは、遠心分離処理後に認められることができる。遠心分離機２４における遠心分離処理では、血清部分または血漿部分２０ＳＰから、赤血球（例えば、赤血球部分２０ＲＢＣ）を分離することができ、赤血球がサンプル容器２０の底に集められ、血清部分または血漿部分２０ＳＰ（クリアな、または、比較的クリアな部分）はサンプル容器２０（例えば、サンプル管）の上部になる。血清部分または血漿部分２０ＳＰは、ほとんどの不具合、たとえば、変色、望ましくないパーティクルの存在、および、凝固、を認めることができるところである。
【００６１】
非自動化研究室では、技術者は、サンプルの品質の不具合が存在するかどうかを判定するために、サンプル容器２０（例えば、サンプル管）を目視および手動で検査する。多忙な研究室は、それを徹底的には実施できないことがあり、または、検査が本質的に主観的であることにより、その成果に大変ばらつきがあることがある。たとえば、人から人への検査によりばらつくこと、または一個人が検査する場合でも、１つのサンプルから次のサンプルでばらつくことがある。
【００６２】
自動化された研究室では、サンプルは、遠心分離機から、自動化システムを介して、多くの場合、全く検査する機会なしで分析機器（例えば、臨床分析機）へ自動的に送られる。これらの不具合を含むサンプル２０Ａが１以上の分析機器に提供される場合には、多くの望ましくない、問題のある、および、苛立たしい出来事に遭遇することがある。たとえば、サンプルの品質の問題が、変色または不十分なサンプル量である場合、研究室技術者は、そのサンプル２０Ａを、機器および／または自動化システムから取り外さなくてはならないこと、および、特定の患者の新規の血液サンプルを要請しなくてはならないことがある。これは、研究室の効率性を減少させ、および、より多くの血液が採血されなければならないために、採血者への追加の訪問が必要になることがあり、患者にとって面倒であることがある。
【００６３】
別の例では、サンプルの品質の問題が、望ましくないパーティクルの存在および／または凝固である場合、研究室技術者は、分析のために再度システムに再挿入する前に、そのサンプルについて追加の前処理タスクを行わなくてはならないことがある。加えて、技術者は、解析（試験）に干渉したかもしれないパーティクルのために、分析機器および／または自動化システムを停止し、および、システム上のある種の設備、たとえば、プローブおよびピペットを清掃しなくてはならないことがある。
そのため、機器上で任意のサンプルの品質の不具合に遭遇した場合には、そのサンプルについての解析結果に誤りがある可能性があり、研究室の効率性、たとえば試験の所要時間または休止時間に、悪影響を与えることがある。サンプル２０Ａ自体が、一部の例では、適切な処理を受け入れる前にサンプルが分析されるため、無駄になることもある。
【００６４】
脂肪血症サンプル検出
１つの広い態様によれば、電子画像の分析および検出を可能にするために、本発明は、コリメート（平行）光の放射光源、好ましくは、レーザダイオード、および、放射光撮影デバイス（例えば、デジタルカメラ）を用いて、サンプル（例えば、血液）を収容する遠心分離されたサンプル容器（例えば、サンプル管）の脂肪血症サンプルを検出することができる方法および装置（例えば、デバイス）として導かれる。
【００６５】
脂肪血症は、サンプル２０Ａが分析機上で試験または分析されるか、あるいは、自動化システム上に置かれる前に、特別の処理で解決することがある、特殊なサンプルの品質の変色する不具合である。脂肪血症（lipaemiaと綴られることもある）の定義は、血液中の異常に高い脂質（脂肪）の常在度である。脂質は、水に溶解できない小さいパーティクルとして存在する。一般的には、血清部分または血漿部分２０ＳＰ（図１Ｂ）は、比較的クリアである。しかしながら、脂肪血症サンプルでは、遠心分離された血液の血清部分または血漿部分２０ＳＰは、脂質の存在により白色または乳白色に見えることがある。脂肪血症のよくある原因は、高脂肪食を食べることである。研究室では、サンプルが脂肪血症であると認識した後に、脂質を取り除くかまたは減らすために、サンプル２０Ａをさらに処理することができる。たとえば、脂肪血症の量を減らすために、溶媒または他の物質を導入することができる。いったんこれが完了すると、サンプル２０Ａは、臨床分析機器（例えば、３２、３８、および４２）によって適正に分析することができ、研究室は、試験結果について相対的により確信することができる。
【００６６】
本発明のこの態様は、サンプル２０Ａの遠心分離後に、第１の可能性のある事例（例えば、次の処理装置）で脂肪血症を検出しようと努めている。処理のその時点で脂肪血症を検出することによって、サンプル２０Ａは無駄にならず、誤りのある試験結果が予防され、および患者の試験結果の遅延が最小限にされる。このサンプル品質管理装置３０が自動化サンプル取扱システム１０上で提供されるときに、各サンプル２０Ａは、遠心分離機２４（図１Ａ参照）を離れるときに、脂肪血症の干渉レベルについて検査を受ける。脂肪血症の干渉レベルが検出されると、技術者またはユーザは、画面警報、警報ベル等を介して警告を受ける。そして、サンプル容器２０は、その後、たとえば補助処理装置３０Ａのようなユーザの修正アクションまたは追加の処理、を待つためのシステム１０上の位置へ、経路決めをされることができる。サンプル２０Ａを修正または追加処理した後に、分析のために分析機器（例えば、３２、３８、および４２）へ直接置くこと、または、自動化サンプル取扱システム１０のトラック１４に戻すことができる。ある実施形態では、自動化サンプル取扱システム１０は、ユーザと対話処理をせずにサンプルへのこの修正アクションを実施することができるかもしれない。たとえば、脂肪血症サンプルの経路決めは、ロボット搬送装置３０Ｂを介してサンプルを取り外し、たとえば、分析機器３２、３８、および／または４２上での検査の必須条件として、補助処理装置３０Ａでの追加の処理を必要とする。
【００６７】
また別の態様では、本発明は、サンプル容器の中に収容される臨床分析サンプルの特性を判定する方法が導かれる。この態様では、その方法は、サンプル容器の中に収容される臨床分析サンプルを通して放射ビームを送出させること、サンプル容器を通して送出される放射ビームを撮影すること、および、撮影された放射ビームを臨床分析サンプルの中の１以上の干渉物質の有無を判定するように分析することを含む。たとえば、１つの実施形態では、この方法は、サンプル２０Ａの血清部分または血漿部分２０ＳＰの中の脂肪血症の有無を判定することが導かれる。後述するように、他の干渉物質、たとえば溶血または黄疸の有無を判定してもよい。
【００６８】
図１Ｂ、１Ｃ、および１Ｄを参照して方法１００によると、ブロック１０２のサンプル容器２０（例えば、サンプル管）に収容される臨床分析サンプル２０Ａを通して放射ビーム５２Ａを送出させる工程は、好ましくはレーザダイオードによって生成された、平行な光の放射光源であることができる放射光源５２を用いることによって、ビーム５２Ａ（例えば、レーザビーム）を、赤血球部分２０ＲＢＣおよび血清部分または血漿部分２０ＳＰを有する、遠心分離された血液を収容するサンプル容器２０へ投射することができる。放射光源５２がレーザである場合には、レーザは、任意の適切な波長および出力で動作させることができる。しかしながら、０．９ｍＷＡで、６３５ｎｍまたは６５０ｎｍのいずれかが適切である。放射光撮影デバイス５６、たとえばデジタルカメラ、ＣＣＤ、または他の適切なデジタル化デバイスは、ブロック１０４で、サンプル容器２０へ、または、それを通して送出された放射ビーム５２Ａの画像とともに血液のサンプル容器２０の画像（例えば、デジタル画像）を撮影することができる。コンピュータソフトウェアプログラムを収容するコンピュータ５９は、画像を撮影する放射光撮影デバイス５６によって撮影されたデジタル画像の電子画像を分析のために用いることができる。サンプル２０Ａを通過して撮影されたビームは、ブロック１０６で、臨床分析サンプル２０Ａの中の干渉物質の有無について分析されることができる。たとえば、分析においては、干渉物質として、たとえば、脂質の検出を含むことができる。コンピュータソフトウェアが、サンプルが脂肪血症であることを首尾よく検出すると、サンプル２０Ａは直ちに分析されないことがあり、脂肪血症サンプルの前処理動作（例えば、補助処理装置３０Ｃ）のために確保されている機器または自動化システム上の別のエリアへ経路決めをしてもよい。そして、研究室技術者は、前処理動作を行って、分析機器３２、３８、４２または自動化サンプル取扱システム１０へサンプル２０Ａを再挿入することができる。
【００６９】
サンプル容器２０は、最適な画像の撮影のために、非反射ボックスまたは筐体５７の内部に設置することができる。また、筐体５７の内部には、放射光源５２を、追加の高級画像撮影結果（例えば、溶血の判定用）のためにサンプル容器２０を適正に照らすのに役立つ別の放射光源５８および散光器６０と同様に、設置することができる。放射光撮影デバイス５６（例えば、デジタルカメラ）は、筐体５７の内部または筐体５７の外部のいずれかに設置され、サンプル容器２０の前述の検査用の窓領域を通して画像を受け入れることができる。サンプル容器２０は、臨床分析サンプル２０Ａの中の干渉物質の有無を判定するために、放射光撮影デバイス５６が（おそらく拡散または偏向された）放射ビームを撮影することができるように、関係する可視領域（ラベル２０Ｄが貼り付けられていない窓領域）が示されるまで、サンプル容器２０を回転させるためにモータ（例えば、図示しないステッピングモータ）によって制御することができる回転ホルダ５４上に位置づけることができる。撮影された放射光は、図１Ｃのようにサンプル容器２０全体を通して撮影してもよいし、または図２Ａを参照して記述されるようにサンプルまたはサンプル容器から反射された一部分として撮影してもよい。撮影されたビーム画像のスポットサイズは、測定および存在する脂肪血症の度合いに関連付けることができる。
【００７０】
具体的には、脂質は、このような機器の中のサンプルの吸光度を測定するために用いられる放射光のビームに散乱を発生させる主な原因となるため、分析機器の分光光度法による測定に干渉することがある。そして、散乱光は、分析機器の分光光度計の放射光撮影デバイスによって補足されない。散乱光は、測定されないので、放射光は吸収されたとみなされる。そのため、これが不正確な分析的測定を引き起こしている。
【００７１】
ここで、図２Ａ〜２Ｄを参照して、臨床分析サンプル２０Ａまたはサンプル容器２０の１以上の干渉物質の有無または物理的寸法特性を判定するように適応された別の装置２００および方法２００Ａを説明する。装置２００は、たとえば、サンプルの品質管理装置３０を提供することができる。前述の実施形態のように、装置２００は、ブロック２０２Ａで（図２Ｂ参照）、窓領域を画像分析のために適切な位置に配向することができるように、サンプル容器２０を回転するように適応された回転ホルダ２５４を含むことができる。方法２００Ａおよび装置２００は、ブロック２０４Ａで、サンプル容器２０（例えば、サンプル管）に収容される臨床分析サンプル２０Ａへ放射ビーム２５２Ａを送出させるように適応された放射光源２５２を含むことができる。放射ビーム２５２Ａはコヒーレント光であることができる。加えて、放射ビーム２５２Ａは平行化されていてもよい。図示された実施形態では、放射ビーム２５２Ａは、放射光源２５２に連結した放射ライン生成器２５２Ｂによって形成することができるレーザのライン（列）（破線で示される）の形態でサンプル容器２０へ投射することができる。放射光撮影デバイス２５６は、ブロック２０６Ａで、サンプル容器２０またはサンプル２０Ａから反射されたビームの画像を撮影するように適応されることができる。最終的に、ブロック２０８Ａで、撮影されたビームおよびサンプル容器２０の画像は、臨床分析サンプル２０Ａの中の干渉物質の有無を判定するように、コンピュータ２５９によって分析することができる。分析においては、反射された画像のさまざまな線分（ラインセグメント）が、グループ分けされおよびブロブ（Blob：塊)として解析されて、それらの高さ、幅、および撮影された画像の中の相対的な位置に関して特徴付けられる、ブロブ（Blob)解析を含むことができる。そして、これらのパラメータは、たとえばルックアップテーブルの中の値と比較されることができる。ここから、脂肪血症の指数の値を判定することができる。そのうえ、ある種のサンプル２０Ａまたはサンプル容器２０の物理的寸法および他のパラメータを判定することができる（例えば、サンプル容器管２０Ｔにおける（管−フタの界面ＴＣへの）高さ、血清部分または血漿部分２０ＳＰの全体的な充填高さ、垂直高さ、赤血球部分２０ＲＢＣの垂直高さ等）。追加の干渉物質は、放射光源２５８（例えば、白色光源）を用いて判定することができる。放射光源２５８は、実質的に放射光源２５２と垂直に位置合わせすることができる。
【００７２】
前の実施形態のように、ホルダ２５４は、サンプル容器２０を一般的に直立配向で受け入れおよび保持するように適応される。ホルダ２５４は、図２Ｂに示すように、窓領域を通してサンプル容器２０へビーム２５２Ａを投射すること可能にするように、窓領域を適切に位置づけるように、ラベル２０Ｄを回転させるために、モータ２５５（例えば、ステッピングモータ）に連結させ、およびそれによって回転させることができる。いったんサンプル容器２０およびラベル２０Ｄが窓領域を露出するように適正に回転方向に位置づけられると、ビーム２５２Ａをサンプル容器２０へ投射することができ、および画像が記録される。結果として、いくつかの可能性のある結論を、筐体２５７の背壁２５７Ａからの反射光、および、サンプル容器２０の前および後壁からの反射光に基づいて獲得することができる。その結果は、サンプル容器２０の中のサンプル２０Ａの状態によって決まる。
【００７３】
脂肪血症サンプルにおいて、分析の間に分光測定法について問題の原因となると記述した光散乱の特性は、脂質の干渉物質を測定するために利用されるまさにその特性である。本発明者によって、放射光源５２、２５２（例えば、レーザ）から放射されたビーム５２Ａ、２５２Ａが、正常サンプル２０Ａの血清部分または血漿部分２０ＳＰを通過するときに、サンプル容器２０の前および背表面の両方からの光反射、ならびに、図３に示すように、サンプル２０Ａ自体からの何らかの小さな反射があることが観察された。高濃度（すなわち、脂肪血症）のサンプルについては、前表面からの何らかの光反射があるが、レーザビーム５２Ａ、２５２Ａがサンプル（試料）に入射すると、直ちに分散（散乱）があり、図４に示すようにサンプル２０Ａから光が反射する。ある単純な画像処理をしたこれらの同じ図面は、放射光源５２、２５２（例えば、レーザ）に曝されるときに脂肪血症サンプルが有する特殊な差異をさらに強調することができる。さらなる視覚的分析、およびサンプル容器２０およびサンプル２０Ａへビームのライン（列）（例えば、レーザのライン（列）ビーム）を投射するためのライン生成光学素子の使用は、容器２０の中で空気と血清部分または血漿部分２０ＳＰとの間の界面と同様に、血清部分または血漿部分２０ＳＰと赤血球部分２０ＲＢＣとの間の界面ＳＲの検出を可能にすることによって、改良された検出を提供することができる。加えて、容器２０のサンプル管２０Ｔとフタ２０Ｂとの間の界面ＴＣを判定することができる。
【００７４】
本発明のこの実施形態によれば、方法１００は、ブロック１０２で、サンプル２０Ａを収容するサンプル容器２０へ、放射ビームを送出させることができる放射光源５２（２５２）を提供することを含むことができ、そしてブロック１０４で、放射光撮影デバイス５６（２５６）は、ブロック１０６でその上に重ね合わされる反射光および／または分散光を含むビーム５２Ａ（２５２Ａ）で、サンプル容器２０の画像を撮影することができる。画像は、図３および４に示すようにレーザビームスポット３０１、４０１を包含することができる。図３は正常なスポットサイズ３０１を図示し、図４は比較的拡大されたスポットサイズ４０１を含む脂肪血症サンプルの画像を図示する。たとえば、スポット４０１は、小さい幅寸法Ｗ１を持つスポット３０１を有する正常サンプルと比較すると、幅寸法Ｗ２を有して拡大されていることができる。ソフトウェアの処理としては、スポット３０１、４０１のサイズを測定すること、および、そのスポットサイズを、ビーム５２Ａ（２５２Ａ）がサンプル２０Ａの中で分散されるにつれて、サンプル２０Ａが原因となって引き起こされる分散度と関連付けることができる。このことは、次に、脂質濃度を示唆する。一般的に、このようなサンプル２０Ａの中の分散の原因となる物質は脂質だけであるが、物質にかかわらず、サンプル２０Ａを通って行く放射光が評価可能な程度に分散する場合、分析的測定の誤差があり得るので、研究室は、たとえば、画面警報を生成すること、アラームを鳴らすこと、脂肪血症サンプル２０Ａを降ろすこと、または、自動化システム１０を停止すること、によって適切に報告を受けるべきである。上述のように、スポットサイズ（例えば、スポット幅）によって決定付けることができる相対的な分散量は、脂肪血症指数に関連付けることができる。脂肪血症指数が事前に設定された閾値を超過すると、サンプル２０Ａは、脂肪血症であると判定することができる。ライン生成光学素子が用いられる場合には、撮影された画像（例えば、反射された画像）を、画像の部分を調査することによって１以上の干渉物質の有無を判定するために用いてもよい。任意で、または加えて、脂肪血症の存在は一般的に白色によって表わされるので、血清部分または血漿部分２０ＳＰは、その画像を生成するために、放射光源５８および撮影デバイス６２を用いてさらに分析することができる。撮影された画像から得たＲＧＢ値（色分析の赤緑青システム）は、脂肪血症の有無を示すために、保持された閾値と比較することによって分析することができる。
【００７５】
少なくとも５つのことが、脂肪血症の測定技術を比較的、費用効率良くしている。１つには、事前検査はサンプル２０Ａを少しも消費しないことである；それは、いかなる方法でも開いたサンプル容器２０、またはサンプル２０Ａと接触する要求を必要としない。２つには、それが速いことである；画像の取得および分析は、化学分析技術よりも顕著に速くすることができる。３つには、変動コストがないことである；消耗品がないことで、分析されるサンプルごとのコストは実質的にゼロである。４つには、事前検査が、サンプル前処理の分析前処理段階の最初に実施することができることである；任意の必要な修正アクションが、臨床分析を試みる前にサンプル２０Ａにおいて着手することができる。５つには、事前検査は、いかなる化学分析でも分光光度計の干渉の原因となることがある分散現象なしに、直接測定することができることである。
【００７６】
加えて、撮影画像は、このような項目：１）用いられるサンプル容器２０の相対的な高さ（Ｈ）を定めることができる、サンプル管２０Ｔとサンプルフタ２０Ｂとの間の垂直な界面位置ＴＣ；２）血清部分または血漿部分２０ＳＰと赤血球部分２０ＲＢＣとの間の垂直な界面位置ＳＲ；および３）血清部分または血漿部分２０ＳＰとサンプル容器２０の中の空気２０Ｅとの間の垂直な界面位置ＬＡを識別するために用いることができる。
【００７７】
図２Ｂに示すように、放射光源２５２は、約１０から４５度の間、好ましくは約２２度のオフセット角φが、放射光のビーム２５２Ａのベクトル２５２Ｖと、撮影デバイスの中央とサンプル容器２０の中央との間に位置合わせされた放射光撮影デバイス２５６のベクトル２５６Ｖとの間に提供されるように、放射光撮影デバイス２５６から角度を付けてオフセットすることができることが分かることができる。ビーム２５２Ａがサンプル容器２０へ投射されると、第１の場合には、ビーム２５２Ａは、空気を包含するサンプル管、たとえばビーム（またはその部分）がサンプル管２０Ｔの中の空気に垂直に位置合わせされたときに遭遇することができる。この場合には、ビームは、サンプル容器全体を通過し、筐体２５７の背壁２５７Ａへ投射される。そして、放射ビーム２５２Ａの位置は、背壁２５７Ａへ投射されると、反射されたビーム２５２Ｃによって示されるような放射光撮影デバイス２５６によって撮影される。したがって、撮影されたビームの画像、および画素空間（垂直および水平の両方）の中のその位置は、臨床分析サンプル２０Ａおよび／またはサンプル容器２０のある種の物理的寸法特性を判定するために用いることができる。
【００７８】
たとえば、図２Ｅに示すように、反射されたビーム２５２Ｃ（図２Ｂも参照）が、画像上のある位置（例えば、サンプル管２０Ｔの物理的周囲の外側）に位置づけられると判定すると、これはサンプル管２０Ｔの中に存在する空気２０Ｅを示すことができる。図２Ｅにも示されるのは、フタ２０Ｂの存在を示すことができるビームの反射光２５２Ｄである。その反射光はサンプル容器２０の正面近傍からなので、ビーム２５２Ａの反射光は、撮影され反射されたビーム２５２Ｄ（図２Ｂ参照）として画像の相対的な左側面に示される。画像の中の比較的高い位置と併せて、相対的な左側面への水平な位置は、フタ２０Ｂを示す。これは、管−フタの界面ＴＣ、およびこのようにして、サンプル容器２０の高さを判定するために用いることができる。容器２０の全体的な幅も、その画像から得られる。したがって、サンプル容器のサイズは分類することができる。もちろん、これらの画像の反射されたビームの相対的な位置は、放射光源２５２の角度オフセットφおよびホルダ２５４に対する背壁２５７Ａの間隔によって決まる。
【００７９】
図２Ｆに示すように、ラベル２０Ｄの画像は、ラベル２０Ｄが放射光撮影デバイス２５６に直接配向される／一列になるようにサンプル容器２０を回転させるときに示される。処理ソフトウェアは、たとえば窓領域の回転位置を判定するために、この「ラベルパターン」がサンプル容器２０の回転の関数（相関関係を示すもの）として見えるときを判定するように、モータ２５５（およびその回転位置センサ）と併せて用いることができる。いったん窓領域が判定されると、サンプル容器２０は、たとえば図２Ｂに示すように、品質管理撮像を実施するために配向することができる。放射光源２５２、２５８が垂直に位置合わせされる（図２Ａ〜２Ｂの実施形態のように）と、さらなる回転は、溶血または黄疸の分析／検出のために必要がなくなることができる。
【００８０】
図２Ｇは、血清部分または血漿部分ならびに赤血球部分２０ＲＢＣを持つサンプル２０Ａを含むサンプル容器２０を図示する。ビーム２５２Ａがサンプル容器２０およびその中に収容されるサンプル２０Ａへ投射されると、ある種の画像のパターンが、サンプル２０Ａの状態に基づいて明白に現れる。たとえば、赤血部分２０ＲＢＣの反射パターンは、ラベルのそれと同様（そこからわずかにオフセットされ、おそらく幅がわずかに広いが、）の反射光に見えることができる。しかしながら、脂肪血症サンプルにおいては、存在する脂肪血症の度合いによって、画像のパターンが比較的広く決められる。画像のパターンが広いほど、示される脂肪血症の量が比較的高くなる。相対的な幅の測定値Ｗおよび画像のパターンの垂直な位置は、画像処理ソフトウェアによって測定することができる。サンプル２０Ａから、および、その中の放射光のビーム２５２Ａの反射光および分散光によって決まるこの幅の測定値Ｗは、サンプル２０Ａの血清部分または血漿部分２０ＳＰの中に存在する脂肪血症の度合いに関連付けることができる。撮影されたビームは、図２Ｂの線２５２Ｅと２５２Ｆとの間に示される。これらの位置は、再度、サンプル２０Ａの中の放射光のビーム２５２Ａの反射光および分散光の量を示す。
【００８１】
図２Ｇのビームの撮影された画像から、サンプルの物理的寸法特性にかかわる追加の情報は、下記により詳しく記述されているように判定することができることも、明らかにされるべきである。
【００８２】
図２Ｈおよび２Ｉに示すように、実際の正常サンプル２０ＡＮ（例えば、図２Ｈの正常サンプル）、異常サンプル２０ＡＡ（例えば、図２Ｉの異常な脂肪血症サンプル）、およびサンプル容器２０Ａからの反射光のネガ画像が示される。見て分かるように、各画像には、
管−フタの界面ＴＣ、
ラベル上端の位置ＬＥ、
液体−空気の界面ＬＡ（サンプル管２０Ｔの中の空気と血清部分または血漿部分２０ＡＮＳＰ、２０ＡＡＳＰとの間の界面
サンプル２０ＡＮ、２０ＡＡの血清部分または血漿部分２０ＡＮＳＰ、２０ＡＡＳＰと、血清分離剤部分２０ＡＮＳＳ、２０ＡＡＳＳと、の間の界面である、血清−分離剤界面ＳＳ、および
サンプル２０ＡＮ、２０ＡＡの血清分離剤部分２０ＡＮＳＳ、２０ＡＡＳＳと赤血球部分２０ＡＮＲＢＳ、２０ＡＡＲＢＳとの間の界面である、分離剤部分−赤血球部分界面ＳＳＲ
を含む。
多くの場合、サンプル２０Ａは、赤血球部分２０ＲＢＣから血清部分または血漿部分２０ＳＰの分離を補助するために添加される血清分離剤ゲルを含むことができる。本発明の方法およびシステムは、これら追加の界面ＳＳおよびＳＳＲを、ラベル端ＬＥと同様に容易に判定することができる。
【００８３】
溶血サンプル検出
別の広い態様によれば、本発明は、遠心分離された血液のサンプル容器２０に収容される溶血したサンプル（試料）を検出するために用いることができる方法および装置（例えば、デバイス）が導かれる。図５Ｃに示すような方法５００は、サンプル容器２０へ放射光（例えば、白色光）を投射するための放射光源、電子画像撮影、そして溶血を検出するために撮影された画像の分析のための放射光撮影デバイス（例えば、デジタルカメラ）を利用する。
【００８４】
溶血はサンプルの品質変色の問題であり、それは特別の処理で解決することができない。溶血（haemolysisと綴られることもある）は、赤血球が破壊して、内部のヘモグロビンが遠心分離された血液サンプル２０Ａの血清／血漿部分２０ＳＰ（図１Ｂ）中へ放出されるときに生じることがあり、このようにして、血清部分または血漿部分２０ＳＰにより赤みがかった色または外観を与える。より赤みがかった色とともに、カリウムが血清部分または血漿部分２０ＳＰ中へ放出されることがあるが、これは分析機器において試験されるときに誤りのある結果を与えることがある。不正な血液収集、取り扱い、保存、および／または処理が、溶血の原因となることがある。
【００８５】
臨床分析サンプル２０Ａが溶血をこうむる場合には、分析機器に良好な品質のサンプル２０Ａが提示されることを確実にするために、通常の手順で患者から別のサンプル２０Ａを再度抜き取る。いったん新規のサンプル２０Ａが処理されると、干渉ヘモグロビンなしで首尾よく分析することができる。
【００８６】
別の態様では、本発明は、サンプル２０Ａの中の溶血の有無を検出することができ、それによって、分析機器が、結果が疑わしいことがあるサンプル２０Ａにおける分析試験を実施するのを防ぐ。サンプル２０Ａが脂肪血症について撮像および分析されるとき、血清部分または血漿部分２０ＳＰはサンプル容器２０（例えば、試験管）の側面（窓領域）を通して視認可能である。この時、品質管理装置３０において、溶血について基本的な評価をするために、血清部分または血漿部分２０ＳＰの色を記録および分析する機会がある。この評価は単独で実施することができ、または品質管理装置３０での脂肪血症の分析と併せて実施することができる。
【００８７】
溶血についての評価において、放射光源５２（例えば、平行な放射の放射光源またはレーザ）は、電源を切られる。上述のように、ラベル２０Ｄがない「窓領域」または関係する領域は、より最初の検索の間、たとえば潜在的な脂肪血症について分析するときに、サンプル容器２０の回転を介して既に見つけておくことができる。そうでなければ、ブロック５０２でサンプル容器２０が放射光源に対して窓領域を指向するために回転させて、溶血評価のためにサンプル容器２０を適切に位置づける上記の手順を採用することができる。加えて、溶血分析のための画像撮影および処理では、考慮中のエリアが「窓領域」の中の血清部分または血漿部分２０ＳＰだけに減らされる。
【００８８】
脂肪血症サンプルとは違って、コンピュータソフトウェアが、サンプル２０Ａが溶血したことを首尾よく検出すると、そのサンプル２０Ａは、遅延なく臨床分析機器において試験および分析されることを継続することができる。分析試験の完了後に、サンプル２０Ａは、溶血したサンプルを評価するために確保されている機器または自動化サンプル取扱システム１０におけるエリアに経路決めをすることができる。溶血したサンプルの任意の順調な検出のために、コンピュータは、さらなる評価および／または決定のために職員（例えば、技術者）に警告するために、分析機器または自動化サンプル取扱システム１０における品質管理装置３０におけるディスプレイ上（例えば、コンピュータ画面）へ表示される警告を提供することができる。
【００８９】
溶血したサンプルの評価を研究室職員へ運搬する能力を改良するために、溶血を判定するサンプル２０Ａを含むサンプル容器２０（例えば、試験管）の画像を表示することができる。これは協調情報、たとえば、それに限定されないが、さまざまな溶血したサンプルの基準画像、比較のための色スペクトル、色スペクトルの中のサンプルの評価位置、および／または問題のおよび／またはとるべき研究室アクションを示唆する文章説明とともに、表示することができる。
【００９０】
また、ある実施形態では、溶血したサンプル２０Ａが自動化サンプル取り扱いシステム１０のサンプルの品質管理装置３０において検出されると、サンプル２０Ａは、溶血の精密なレベルを測定および特徴付けすることができる分析機器（例えば、専門の臨床分析機）へ送ることができる。分析機器は、溶血のレベル判定でははるかに良好で、サンプルに指示されるさまざまな解析についての解析結果に影響を与えるヘモグロビンの厳密な濃度を判定するという規則を有することが多い。結果として、何らかの試験結果を、サンプルの再採血および再試験が生じる前に報告することができる。しかしながら、溶血の最初検出で、研究室技術者は、サンプル２０Ａがあるレベルの溶血を包含しているかもしれないにもかかわらず、自動化サンプル取扱システム１０が結果を報告することができる再採血の緊急性を、自信を持って決めることができることを明らかにするべきである。加えて、または任意で、警告は、指示されたどの解析結果が悪影響を有することがあり得るのかを検出された溶血の程度によって識別するためにも用い得る。この強化されたプレゼンテーションで、正しい臨床決定をするタスクは顕著に容易になること、および誤差になりにくくすることができる。
【００９１】
サンプルが溶血したときにとるべきアクションは、研究室によって定義された規則に基づいて、それらの具体的な手順に合わせる。規則を引き起こす溶血閾値は研究室によって定めてもよく、試験ごとにばらつきがあってもよく、それは引き続いて経てもよい。研究室は、警告を引き起こす閾値溶血レベルを定めるために、品質管理サンプル（例えば、基準サンプル２０Ｒ−図５Ａ参照）を使用する。たとえば、図５Ａに示すサンプル２０Ｒは、溶血のレベルが上昇した血清部分または血漿部分２０ＳＰを有する基準サンプルを図示する。図５Ｂのサンプル２０Ｈは、閾値を超える溶血のレベルが上昇したサンプルを図示する。さまざまなレベルの溶血の例は、Joseph J. Frank、Edward W. Bermes、Margaret J. Bickel、およびBruce F. Watkinsによる「Effect of In Vitro Hemolysis on Chemical Values for Serum」と題されたClinical Chemistry（Vol. 24, No. 11, 1978）の記事において分かることができる。
【００９２】
ここで、図１Ｃおよび５Ｃを参照すると、サンプル容器２０に収容されるサンプル２０Ｒ（図５Ａ）の中に存在する溶血の量を判定するために、放射光源５８はブロック５０４でサンプル容器２０へ放射光のビーム５８Ａを投射することができ、画像はブロック５０６で放射光撮影デバイス６２によって撮影することができる。この画像は、血清部分または血漿部分２０ＳＰの色を判定するように、ブロック５０８で分析することができる。色分析の赤緑青（ＲＧＢ）システムを採用することができる。したがって、放射光撮影デバイス６２は、ＲＧＢ色相を判別することができる任意の適切なカメラまたはデジタル化アレイであることができる。それぞれの赤（Ｒ）色相は、１から最大数（例えば、１〜２５６）の尺度で測定することができる。基準サンプル２０Ｒで較正することによって定めるような閾値を超える赤色相を含むことができる任意のサンプル２０Ａは、溶血したサンプルであると判定することができる。任意で、１より多くの色を測定することができ、閾値が検出された１より多くの色に基づいて設定することができる。画像分析は、ブロック５０８で液体−空気の界面ＬＡと界面ＳＲとの間に垂直に、およびおおよそ窓領域の中央に設置されているエリアの血清部分または血漿部分２０ＳＰの色を測定することを含むことができる。検出された１つの色相または複数の色相に基づいて、溶血指数は判定することおよび報告すること、あるいはまた品質管理装置３０から運搬することができる。溶血指数は、たとえば下記の表１に示すような、測定された色相値の関連付けられた範囲に基づいておおよそ判定することができる。
【００９３】
【表１】
2014145774.tif 000003
【００９４】
溶血干渉物質を判定するための上記の方法５００は、図２Ａに示す装置を用いて成し遂げることもできる。追加の白色光光源２５８は照明機能を実施することができ、放射光撮影デバイス２５６はその画像を撮影することができる。溶血についての分析は上述のようであることができる。
【００９５】
溶血測定技術は、脂肪血症検出について上記に示した利点のほとんどを共有する。利点の１つは溶血事前検査がサンプル２０Ａを消費しないことである；それは、いかなる方法でも開いたサンプル容器２０、またはサンプル２０Ａと接触する要求を必要としない。２つには、それが比較的速いことである；画像の取得および分析は、化学分析技術よりも顕著に速くすることができる。３つには、変動コストが実質的にないことができることである；消耗品がないことで、分析されるサンプルごとのコストは実質的にゼロである。４つには、溶血事前検査が、サンプル調製の分析前処理段階の最初に実施することができることである；病院職員は、それらの注意を必要とすることがあるサンプル２０Ａの状態であることを、できるだけ初期に警告を受けることができる。
【００９６】
黄疸検出
別の広い態様によれば、本発明は、遠心分離された血液のサンプル容器２０に収容されるサンプル２０Ａの中の黄疸を検出するために用いることができる方法および装置（例えば、デバイス）が導かれる。黄疸干渉物質は、たとえば、崩壊する赤血球が脾臓でビリルビンに変換される結果、過剰なビリルビンから生じることがある。２〜３ｍｇ／ｄｌを超えるレベルのビリルビンは、一般的に明白に黄色がかった／茶色がかった色で、特に酵素系免疫測定に悪影響を与えることがある。このような状態は、ビリルビン血症とも称される。
【００９７】
黄疸検出方法５００Ａ（図５Ｄ参照）は、溶血を検出するためのそれと同様である。方法５００Ａは、ブロック５０２Ａで、第１に窓領域を配向するためにサンプル容器を回転させることができる。次に、方法５００Ａは、ブロック５０４Ａで、臨床分析サンプル２０Ａを収容するサンプル容器２０へ、放射ビーム５８Ａ、２５８Ａ（例えば、白色光）を投射または送出させるために放射光源（例えば、放射光源５８、２５８）を利用することができる。装置は、たとえば図１Ｃまたは図２Ａ〜２Ｂに示すようであることができる。デジタル電子画像撮影のために適応された放射光撮影デバイス（例えば、５６、２５６、たとえばデジタルカメラ）は、ブロック５０６Ａで、サンプル容器２０およびサンプル２０Ａの血清部分または血漿部分２０ＳＰから、またはそこを通過して反射されたようなビーム５２Ａ、２５２Ａの臨床分析サンプル２０Ａからの画像を撮影することができる。そして、コンピュータ５９、２５９は、黄疸の有無について撮影された画像の分析をブロック５０８Ａで実施することができる。この方法によれば、溶血検出のために撮られた同じデジタル画像を、任意で、黄疸検出のために用いることができる。この場合には、画像を、黄色および／または茶色の有無について分析することができる。これは再度、放射光撮影デバイス５６、２５６（例えば、ＲＧＢ能力またはＲＧＢセンサを有するデジタルカメラ）で、サンプル２０Ａの血清部分または血漿部分２０ＳＰの中に存在する黄色および／または茶色の度合いを測定することを介して、成し遂げることができる。任意で、ＣＭＹＫシステムを用いるセンサを採用することができる。黄色および／または茶色のそれぞれについての範囲値は、実験的に判定および設定することができ、黄疸指数を提供するために用いることができる。たとえば、１から４の範囲を採用することができる。他の適切な黄疸指数値を用いることができる。分析のための血清部分または血漿部分２０ＳＰの中央部分は、界面ＬＡおよびＳＲの位置を判定するために、本明細書において記述されている画像分析技術を介して設置されている。
【００９８】
物理的寸法特性検出
別の広い態様によれば、本発明は、遠心分離された血液のサンプル容器２０に収容されるサンプル２０Ａの物理的寸法特性を検出するために用いることができる方法および装置（例えば、デバイス）が導かれる。図２Ｄに示すような方法２００Ｂは、上述のように、ブロック２０２Ｂで、第１に、窓領域を配向するために、サンプル容器２０を回転する。次に、放射光源２５２は、ブロック２０４Ｂで、サンプル容器２０の中のサンプル２０Ａへ放射ビーム（例えば、レーザ）を送出（投射）する。放射光撮影デバイス２５６（例えば、デジタルカメラ、ＣＣＤなど）は、ブロック２０６Ｂで、サンプル（サンプル２０Ａから反射または通過のいずれかとして）からビームのデジタル電子画像を撮影することができる。最終的に、そして、ブロック２０８Ｂで、コンピュータ２５９は、サンプル２０Ａの物理的寸法特性を検出するために撮影された画像の検査を実施することができる。物理的寸法特性には、１）血清部分または血漿部分２０ＳＰと赤血球部分２０ＲＢＣとの間の垂直な界面位置ＳＲ；および２）血清部分または血漿部分２０ＳＰとサンプル容器２０の中の空気２０Ｅとの間の垂直な界面位置ＬＡの少なくとも１つを含むことができる。
【００９９】
充填量検出
また別の広い態様によれば、本発明は、サンプル容器２０（例えば、血液の管）の中の遠心分離された、または未遠心分離のサンプル２０Ａの全体量を検出することができる方法および装置が導かれる。この方法および装置は、放射光源５２、２５２（例えば、平行光の放射光源、好ましくはレーザダイオード）、画像撮影のための放射光撮影デバイス５６、２５６（例えば、デジタルカメラ）、および電子画像検査および検出のためのプログラムを実行するためのコンピュータ５９、２５９を採用することができる。この方法は、上述のように液体−空気の界面ＬＡの位置を判定することができる。サンプル容器２０の中のサンプル２０Ａの充填量は、界面ＬＡの位置および特定のサンプル管２０Ｔの全体的な幅に基づいて数学的に算定することができる。
【０１００】
ヘマトクリットレベル検出
本発明の別の態様によれば、サンプル２０Ａのある種の物理的寸法特性を判定することができる。たとえば、別の広い態様では、本発明は、サンプル２０Ａ（例えば、遠心分離された血液の管）のヘマトクリットレベルを検出することができる方法および装置（例えば、デバイス）が導かれる。この方法は、平行光の放射光源、好ましくはレーザダイオード、ならびに電子画像分析および検出のためのデジタルカメラを使用することができる。ヘマトクリットレベルは、血清血漿部分２０ＳＰと赤血球部分２０ＲＢＣとの間の界面ＳＲ、または血清分離剤を利用するときには界面ＳＳＲの位置を画像分析を介して識別することによって、上述の方法によって判定することができる。サンプル管２０Ｔの底に集まっている赤血球は、放射光源（例えば、レーザ）に曝されるときに、また異なる放射光パターンを有する。撮影された画像から、サンプル２０Ａについての赤血球部分２０ＲＢＣの界面ＳＲの画像の中の垂直な位置を判定することができる。したがって、赤血球部分２０ＲＢＣの相対的な高さまたは量を判定することができる。
【０１０１】
血漿または血清（上澄み）レベル検出
また別の広い態様によれば、本発明は、サンプル容器２０に収容される遠心分離された血液のサンプル２０Ａの血漿または血清（上澄み）のレベルを検出することができる方法および装置（例えば、デバイス）が導かれる。その方法は、血清部分または血漿部分２０ＳＰとそれより上側の空気２０Ｅと同様に、それより下のヘマトクリットレベルまたは血清分離剤のレベルとの間の異なる放射光パターンを検出することができる。その方法は、血清部分または血漿部分２０ＳＰが「クリア」または正常サンプルであるが、ほとんどの場合には高位の脂肪血症のサンプルの中であってもヘマトクリットレベルを検出してもよいサンプル２０Ａのために容易に用いることができる。その方法は、放射光源（例えば、平行光の放射光源、たとえば５２、２５２）、好ましくはレーザダイオード、および放射光撮影デバイス５６、２５６としてデジタルカメラなど、および電子画像分析および検出のためのコンピュータ５９、２５９を使用することができる。上述の方法は、界面ＳＲまたは界面ＳＳＲと同様に液体−空気の界面ＬＡを検出するために用いることができる。加えて、ＳＲ値（またはＳＳＲ値）およびＬＡ値は、赤血球部分２０ＲＢＣと血清部分または血漿部分２０ＳＰとの間の相対的な比率を判定するために用いることができる。もちろん、サンプル２０Ａの全体的な高さは、画像の中の界面ＬＡの垂直な位置によって判定することができる。同様に、赤血球部分２０ＲＢＣおよび血清部分または血漿部分２０ＳＰのそれぞれの高さを判定することができる。
【０１０２】
サンプル容器の物理的特性検出
本発明の別の態様では、サンプル容器２０のある種の物理的寸法特性を判定することができる。たとえば、サンプル管２０Ｔの高さまたは幅を判定することができる。このようにして、また別の広い態様によれば、本発明は、放射光源５２、２５２（例えば、平行光の放射光源、好ましくはレーザダイオード）、画像撮影のための放射光撮影デバイス５６、２５６（例えば、デジタルカメラ）、ならびに電子画像分析および検出のためのプログラムを実行するためのコンピュータ５９、２５９を用いて、サンプル容器２０（例えば、サンプル管）の物理的寸法特性を検出することができる方法および装置（例えば、デバイス）が導かれる。その方法は、上述のように管−フタの界面ＴＣの位置を判定すること、およびサンプル容器２０のサイズを判定するために、その情報を使用することができる。さらなる画像分析を、血清血漿部分２０ＳＰの位置でサンプル管２０Ｔの幅を判定するために利用することができる。
【０１０３】
サンプル分離検出
また別の広い態様によれば、本発明は、サンプル２０Ａが、分離を達成するために遠心分離機の中で処理された（かどうか）を検出することができる方法および装置（例えば、デバイス）が導かれる。その方法は、方法により記述された血清部分または血漿部分２０ＳＰと赤血球部分２０ＲＢＣとの間の異なる放射光パターンを検出することができる。結果として、サンプル２０Ａは、血清部分または血漿のレベル２０ＳＰを測定することができると、分離を経ることを結論付けることができる。サンプル２０Ａが分離を経ていないという逆の結論のために、サンプル容器２０の中の全血は、放射光源５２、２５２（例えば、レーザ）に曝されるときに、異なる放射光パターンを有する。
【０１０４】
代替実施形態
本発明には、いくつかの代替実施形態がある。図６に示され、および上述の図２Ａおよび２Ｂを参照して、１つの実施形態では、ライン生成光学素子２５２Ｂが、サンプル容器２０およびサンプル２０Ａへ「ライン（列）」の形態でレーザビーム２５２Ａを投射するために、光源２５２（例えば、平行な放射の光源、たとえばレーザ）に連結される。図７に示すような別の実施形態では、放射光源２５２は、Ｚ軸と一列になる縦軸に沿って垂直に移動すること、および限度Ａ、Ｂ間のサンプル容器２０およびサンプル２０Ａに長手方向で沿ったレーザビームのスポットを単にスイープすることができる。この実施形態において、スポットのさまざまな垂直位置の幅、垂直な位置、および水平な位置は、オフセットされた放射光撮影デバイス２５６を回転することによって測定することができる。このデータは、脂肪血症の有無と同様に、管−フタの界面ＴＣ、液体−空気の界面ＬＡ、ＳＲ界面、ＳＳ界面、ＳＳＲ界面を設置することができるように関連付けることができる。
【０１０５】
品質管理装置３０が、事前検査を処理画面として遠心分離の直後に実施するように、理想的に設置されている一方で、臨床機器または臨床分析機において直接この特徴を含むために有利であることができる。たとえば、自動化システムに接続されないスタンドアロンの臨床機器および分析機が、臨床分析の前にサンプルを認証するために、この技術を使用し得る。サンプルが、分析機器と互換性がない脂肪血症、溶血、上澄みレベル、充填量等の予め定義されたレベルを超過すると、ユーザは修正アクションをとるよう通知され得る。場合によっては、修正アクションは、機器において自動化することができる（すなわち、救済策として希釈）。任意で、ある実施形態では、分析機器は、臨床機器の検出器に届かない散乱光を示すために、分光光度法による計測定値を修正してサンプルの中の脂肪血症の測定で単に使用してもよい。
【０１０６】
本発明が広い実用性および用途を受け入れる余地があることは、当業者によって容易に認識されるべきである。本明細書に記述されているもの以外に、本発明の多くの実施形態および適応と同様に、多くの変形例、変更例、および均等物構成が、本発明の本質または範囲から逸脱しない範囲で、本発明およびその前述の説明から明らかになり、または合理的に示唆される。したがって、本発明が具体的な実施形態に関して詳細に本明細書において記述されてきた一方で、この開示は本発明の説明および例示のみであって、単に本発明の十分および可能な開示を提供する目的でなされることが理解される。この開示は本発明を開示された特定のシステム、装置、または方法に限定することを意図せず、逆にその意図は、本発明の趣旨および範囲の中にある全ての変更例、均等物、および代替物をカバーすることである。
【図１Ａ】
2014145774.tif 000004
【図１Ｂ】
2014145774.tif 000005
【図１Ｃ】
2014145774.tif 000006
【図１Ｄ】
2014145774.tif 000007
【図２Ａ】
2014145774.tif 000008
【図２Ｂ】
2014145774.tif 000009
【図２Ｃ】
2014145774.tif 000010
【図２Ｄ】
2014145774.tif 000011
【図２Ｅ】
2014145774.tif 000012
【図２Ｆ】
2014145774.tif 000013
【図２Ｇ】
2014145774.tif 000014
【図２Ｈ】
2014145774.tif 000015
【図２Ｉ】
2014145774.tif 000016
【図３】
2014145774.tif 000017
【図４】
2014145774.tif 000018
【図５Ａ】
2014145774.tif 000019
【図５Ｂ】
2014145774.tif 000020
【図５Ｃ】
2014145774.tif 000021
【図５Ｄ】
2014145774.tif 000022
【図６】
2014145774.tif 000023
【図７】
2014145774.tif 000024
【手続補正書】
【提出日】平成26年4月4日(2014.4.4)
【手続補正１】
【補正対象書類名】特許請求の範囲
【補正対象項目名】全文
【補正方法】変更
【補正の内容】
【特許請求の範囲】
【請求項１】
サンプル容器の中に収容される臨床分析サンプルの特性を判定するための方法であって、
サンプル容器の検査用の窓領域が示されるまで、サンプル容器を配向させること；
サンプル容器を通して放射ビームを送出させること；
サンプル容器を通して送出される放射ビームを撮影すること；および
撮影された放射ビームを、臨床分析サンプルの物理的寸法特性を判定するように分析すること
を含む方法。
【請求項２】
前記臨床分析サンプルの物理的寸法特性を判定することが、
サンプル容器の中の臨床分析サンプルの液体−空気の界面（ＬＡ）の位置を判定すること；
遠心分離された臨床分析サンプルの、血清部分または血漿部分と赤血球部分との間の界面（ＳＲ）の位置を判定すること；
遠心分離された臨床分析サンプルの、赤血球部分と血清分離剤部分との間の界面（ＳＳＲ）の位置を判定すること；および
遠心分離された臨床分析サンプルの、血清部分または血漿部分と血清分離剤部分との間の界面（ＳＳ）の位置を判定すること
からなる群から選択される１以上の工程を含む、
請求項１記載の方法。
【請求項３】
特性を判定するための方法であって、
サンプル容器の検査用の窓領域が示されるまで、サンプル容器を配向させること；
臨床分析サンプルを収容するように適応されたサンプル容器を通して放射ビームを送出させること；
サンプル容器を通して送出された放射ビームを撮影すること；および
撮影された放射ビームを、サンプル容器の物理的寸法特性を判定するように分析すること
を含む、方法。
【請求項４】
前記サンプル容器の物理的寸法特性を判定することが、
サンプル容器の管−フタの界面（ＴＣ）の位置を判定すること；および
サンプル容器の高さまたは幅を判定すること
からなる群から選択される１以上の工程を含む、
請求項３記載の方法。
【請求項５】
サンプル容器の中に収容される臨床分析サンプルの特性を判定するように適応された方法であって、
サンプル容器の検査用の窓領域が示されるまで、サンプル容器を配向させること；
サンプル容器の中に収容される臨床分析サンプルへ放射ビームを送出させること；
臨床分析サンプルによって反射された放射ビームを撮影すること；および
撮影された放射ビームを、臨床分析サンプルの中の１以上の干渉物質の有無を判定するように分析すること
を含む、方法。
【請求項６】
前記放射ビームが、コヒーレント光である、
請求項５記載の方法。
【請求項７】
前記放射ビームが、平行化光である、請求項５記載の方法。
【請求項８】
さらに、サンプル容器と放射ビームを撮影する放射光撮影デバイスとの間に位置合わせされたベクトルから回転方向にオフセットされたベクトルの放射ビームを投射すること
を含む、請求項５記載の方法。
【請求項９】
サンプル容器の中に収容される臨床分析サンプルの特性を判定するように適応された方法であって、
サンプル容器の検査用の窓領域が示されるまで、サンプル容器を配向させること；
サンプル容器へ放射ビームを送出させること；
サンプル容器の中の臨床分析サンプルによって反射された放射ビームを撮影すること；および
撮影された放射ビームを、臨床分析サンプルの物理的寸法特性を判定するように分析すること
を含む、方法。
【請求項１０】
物理的特性を判定するように適応された方法であって、
臨床分析サンプルを収容するように適応されたサンプル容器を提供すること；
サンプル容器の検査用の窓領域が示されるまで、サンプル容器を配向させること；
サンプル容器へ放射ビームを送出させること；
サンプル容器によって反射された放射ビームを撮影すること；および
撮影された放射ビームを、サンプル容器の物理的寸法特性を判定するように分析すること
を含む、方法。
【請求項１１】
特性を判定するように適応された方法であって、
サンプル容器の検査用の窓領域が示されるまで、サンプル容器を配向させること；
臨床分析サンプルを収容するサンプル容器へ放射ビームを送出させること；
サンプル容器の中の臨床分析サンプルによって反射された放射ビームを撮影すること；および
撮影された放射ビームを、
臨床分析サンプルの物理的寸法特性、
サンプル容器の物理的寸法特性、および
臨床分析サンプルの中の干渉物質の有無
からなる群から選択される少なくとも１つを判定するように分析すること
を含む、方法。
【請求項１２】
サンプル容器の中に収容される臨床分析サンプルを分析するための装置であって、
サンプル容器の検査用の窓領域が示されるまでサンプル容器を保持および回転させる、装置に一体化された回転ホルダ；
サンプル容器の中に収容される臨床分析サンプルへビームを送出させるように適応された放射光源；
サンプル容器によって反射された放射ビームを撮影するように位置づけられる放射光撮影デバイス；および
撮影された放射ビームを、臨床分析サンプルの中の１以上の干渉物質の有無を判定するようにして分析するように適応されたコンピュータ
を含む、装置。
【外国語明細書】
2014145774000001.pdf